(57)【特許請求の範囲】
【請求項１】
送信または受信メールの履歴を記憶するメール記憶手段と、
名前に対してメールアドレスが対応付けられるとともに、既にメールアドレスが記憶されている場合には、名前に対してこの既に記憶されているメールアドレスに識別子が付加されたものが対応付けられたアドレス帳情報を記憶するアドレス帳記憶手段と、
前記メール記憶手段により記憶された送信または受信メールの履歴に含まれるメールアドレスを表示する際、送信または受信メールに含まれるメールアドレスが、前記アドレス帳記憶手段により識別子が付加されずに記憶されていた場合、このメールアドレスに対応付けられた名前をメールアドレスの代わりに第１の表示形式で表示し、送信または受信メールに含まれるメールアドレスが、前記アドレス帳記憶手段により識別子が付加されて記憶されていた場合、このメールアドレスに対応付けられた名前をメールアドレスの代わりに第２の表示形式で表示する表示手段と、
を備えたことを特徴とする携帯電話機。
【請求項２】
所定の名前に対するメールアドレスの入力を受け付ける入力受付手段を備え、
前記アドレス帳記憶手段は、前記入力受付手段によりメールアドレスの入力が受け付けられた場合、この入力されたメールアドレスを前記所定の名前に対応付けて記憶するとともに、既に前記所定の名前に対応付けられて記憶されているメールアドレスがあった場合には、このメールアドレスに識別子を付加することを特徴とする請求項１記載の携帯電話機。
【請求項３】
名前に対して電話番号やメールアドレスが対応付けられるとともに、既に記憶されている電話番号やメールアドレスがある場合には、名前に対してこの既に記憶されている電話番号やメールアドレスに識別子が付加されたものが対応付けられたアドレス帳情報を記憶するアドレス帳記憶手段と、
前記アドレス帳記憶手段により記憶されたアドレス帳情報を表示する際、電話番号やメールアドレスが識別子が付加されずに記憶されていた場合、これらの電話番号やメールアドレスを第１の表示形式で表示し、電話番号やメールアドレスが識別子が付加されて記憶されていた場合、これらの電話番号やメールアドレスを第２の表示形式で表示する表示手段と、
を備えたことを特徴とする携帯電話機。
【請求項４】
所定の名前に対する電話番号やメールアドレスの入力を受け付ける入力受付手段を備え、
前記アドレス帳記憶手段は、前記入力受付手段により電話番号やメールアドレスの入力が受け付けられた場合、これらの入力された電話番号やメールアドレスを前記所定の名前に対応付けて記憶するとともに、既に前記所定の名前に対応付けられて記憶されている電話番号やメールアドレスがあった場合には、これらの電話番号やメールアドレスに識別子を付加することを特徴とする請求項３記載の携帯電話機。
【発明の詳細な説明】
【技術分野】
【０００１】
本発明は、アドレス帳からメールアドレスが消去された場合であっても、メール情報を表示する際に、このメールアドレスに対応した名前を表示することができる携帯電話機に関する。
【背景技術】
【０００２】
近年、携帯電話機等の電気通信端末が普及するとともに、これらの電気通信端末で通信を行うためのインフラが整備され、電気通信端末を用いた通信が多く行われるようになってきた。一般的な携帯電話機は、通信相手を表す電話番号やメールアドレス等を含んだアドレス帳を予め記憶しておいて、この情報に基づいて送受信メール等の通信履歴の表示を行うが、メールアドレスの変更等によりこのアドレス帳のデータが書き換えられてしまった場合に、通信履歴をアドレス帳の表記に基づいて表示することができなくなってしまうという問題があった。
【０００３】
そこで、通信履歴の情報を正確なものとし、利便性を向上することが可能な通信端末装置が提案されている（特許文献１参照）。この通信端末装置は、電話帳データ記憶エリアに登録されている通話相手に関わる発着信履歴やメールの送受信履歴を作成した場合に、これらの電話帳データに対応する履歴が存在することを示すフラグを各々の通信相手の電話帳データに対応付けて記憶しておく。そして、電話帳データ記憶エリアの電話帳データの名称を変更した場合には、フラグに基づいて、各々の履歴内の名称を変更する必要がある履歴の有無を判定し、対応する履歴内の名称を変更された名称に変更するようにしたものである。
【特許文献１】特開２００２−１７１３３２号公報
【発明の開示】
【発明が解決しようとする課題】
【０００４】
特許文献１には、アドレス帳として記憶されている電話番号やメールアドレスを更新する際、通信履歴などを見直して新しい情報に書き換え、古い電話番号やメールアドレスがアドレス帳から消去された場合には、通信履歴などの名称も消去される旨が記載されている。
【０００５】
携帯電話機のユーザや通信相手がメールアドレスを変更した場合、通常、携帯電話機のアドレス帳を修正することになるが、アドレス帳を修正すると、古いメールアドレスがアドレス帳から消去されてしまうため、過去の送受信メール閲覧時のメールアドレス表記が、アドレス帳に基づいた表記ではなく、メールアドレスのままで表記されてしまう。この場合には、ユーザは、過去の送受信メールが誰からのメールなのか、または、誰宛へのメールなのかを判別できない恐れがある。
【０００６】
本発明は、上記課題を鑑みなされてものであり、アドレス帳において電話番号やメールアドレスが書き換えられた場合であっても、過去の送受信メールの送信元や送信先を判別することができる携帯電話機を提供することを目的とする。
【課題を解決するための手段】
【０００７】
上記課題を解決するために、本発明に係る携帯電話機は、送信または受信メールの履歴を記憶するメール記憶手段と、名前に対してメールアドレスが対応付けられるとともに、既にメールアドレスが記憶されている場合には、名前に対してこの既に記憶されているメールアドレスに識別子が付加されたものが対応付けられたアドレス帳情報を記憶するアドレス帳記憶手段と、前記メール記憶手段により記憶された送信または受信メールの履歴に含まれるメールアドレスを表示する際、送信または受信メールに含まれるメールアドレスが、前記アドレス帳記憶手段により識別子が付加されずに記憶されていた場合、このメールアドレスに対応付けられた名前をメールアドレスの代わりに第１の表示形式で表示し、送信または受信メールに含まれるメールアドレスが、前記アドレス帳記憶手段により識別子が付加されて記憶されていた場合、このメールアドレスに対応付けられた名前をメールアドレスの代わりに第２の表示形式で表示する表示手段と、を備えたことを特徴とする。
【発明の効果】
【０００８】
本発明に係る携帯電話機によると、アドレス帳において電話番号やメールアドレスが書き換えられた場合であっても、書き換え前の電話番号やメールアドレスを識別子を付加して記憶しておくことで、過去の送受信メールの送信元や送信先を判別することが可能となる。
【０００９】
携帯電話機のユーザには、メールアドレスを頻繁に変更する者も多く、また、メールアドレスからは本人を特定できないようなメールアドレスも多い。このような場合であっても、アドレス帳に記載されていた氏名などを使用し、メール送受信の履歴を表示できるため、ユーザが、誰からのメールなのか、または誰宛のメールなのかをすぐに判断できることは、非常に有用である。
【発明を実施するための最良の形態】
【００１０】
〔第１実施形態〕
本発明に係る携帯電話機の実施形態について、図１乃至図９を参照しながら説明する。第１実施形態の携帯電話機として、複数の筐体が開閉自在に結合されてなるクラムシェル型の携帯電話機１を例にあげて説明する。図１（Ａ）は、携帯電話機１の開いた状態を示す正面図、図１（Ｂ）は、携帯電話機１の開いた状態を示す側面図である。また、図２（Ａ）は、携帯電話機１の閉じた状態を示す正面図、図２（Ｂ）は、携帯電話機１の閉じた状態を示す側面図である。
【００１１】
携帯電話機１は、図１及び図２に示すように、矩形の板状の上筐体１０と、この上筐体１０とほぼ同形状をした下筐体１１とが、相互に一面を覆うように積層されることにより形成されている。これらの上筐体１０及び下筐体１１は、ヒンジ部１２を挟むようにヒンジ結合されていて、上筐体１０は下筐体１１に対して、ヒンジ部１２を軸にして、図１（Ａ）のＸ方向に所定角度だけ回転自在なように形成されている。そして携帯電話機１は、上筐体１０を下筐体１１に対して回転させることにより、閉じた状態から開いた状態に、あるいは開いた状態から閉じた状態に変形する。
【００１２】
上筐体１０の内面（下筐体１１に対面する側の面）には、入力された文字や画像、アドレス帳、送受信されたメール等を表示するためのディスプレイ１３、音声を出力するためのスピーカ１４が設けられている。これらのディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１３】
下筐体１１の内面（上筐体１０に対面する側の面）には、例えば、カーソルを上下左右に移動させるための十字キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対して回転させて開いた状態に変形させたときには、外部に露出される。
【００１４】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、及び記憶部２６がバスによって相互に接続されて構成されている。
【００１５】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するアドレス帳管理処理やメール表示制御処理、その他の様々な演算処理や制御処理等を行う。電源回路部２１は、ユーザによる操作キー１５を介した入力に基づいて電源のオン／オフ状態を切り替え、電源がオン状態の場合に電力供給源（バッテリ等）から各部に対して電力を供給して、携帯電話機１を動作可能にする。
【００１６】
操作入力制御部１２は操作キー１５に対する入力インタフェースを備え、操作キー１５を介して入力された信号を主制御部２０に伝送する。表示制御部２３はディスプレイ１３に対する表示インタフェースを備え、主制御部２０の制御に基づいて、文書データや画像データ等をディスプレイ１３に表示する。
【００１７】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００１８】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００１９】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するアドレス帳更新処理やメール表示制御処理を行う際の処理プログラムは、例えばＲＯＭに記憶されているものとする。
【００２０】
また記憶部２６は、アドレス帳情報３０を記憶するためのアドレス帳記憶部２６ａを備えている。アドレス帳情報３０は、ユーザが携帯電話機１を用いて通話やメール送受信を行う際に使用される電話番号やメールアドレスを、名前に対応付けて記憶している情報であり、図４に示すように、少なくとも、名前を示す名前情報３０ａ、電話番号を示す電話番号情報３０ｂ、メールアドレスを示すメールアドレス情報３０ｃがそれぞれ対応付けられた情報である。
【００２１】
例えば、図４に示すアドレス帳情報３０では、「東芝一郎」の名前情報３０ａに対して、「０９０−１１１１−１１１１」の電話番号情報３０ｂ、「ｉｃｈｉｒｏ＠ａｂｃ．ｊｐ」のメールアドレス情報３０ｃがそれぞれ対応付けられているとともに、「東芝二郎」の名前情報３０ａに対して、「０９０−２２２２−２２２２」の電話番号情報３０ｂ、「ｊｉｒｏ＠ａｂｃ．ｊｐ」のメールアドレス情報３０ｃがそれぞれ対応付けられている。
【００２２】
また記憶部２６は、携帯電話機１にて送受信されたメール情報を記憶するためのメール記憶部２６ｂを備えている。メール情報は、送信されたメールに関して、送信日時、送信先、メール内容、添付ファイル等の情報がそれぞれ対応付けられているとともに、受信されたメールに関して、受信日時、送信元、メール内容、添付ファイル等の情報がそれぞれ対応付けられた情報である。
【００２３】
ユーザは、アドレス帳情報３０として記憶されている電話番号やメールアドレスに変更があった場合に、操作キー１５を介して新しい情報を入力し、これらの情報を更新する。携帯電話機１は、ユーザにより新しい電話番号やメールアドレスが入力された場合、入力された情報をアドレス帳記憶部２６ａに記憶するアドレス帳更新処理を行う。携帯電話機１がアドレス帳更新処理を行う際の手順について、図５に示すフローチャートに基づいて説明する。以下、例えば「ステップＳ１０１」を「Ｓ１０１」のように、「ステップ」の語句を省略して説明する。
【００２４】
ユーザは、携帯電話機１を用いてアドレス帳情報３０として記憶されている電話番号やメールアドレスを変更する際に、まず操作キー１５を介した入力によりこれらの情報を入力する。以下、例えばユーザによりメールアドレスが入力されたものとして説明する。始めに主制御部２０は、ユーザにより新しいメールアドレスが入力されたか否かを判断する（Ｓ１０１）。新しいメールアドレスが入力されていない場合（Ｓ１０１のＮｏ）は、主制御部２０はアドレス帳更新処理を行わずに、そのまま待機する。
【００２５】
新しいメールアドレスが入力された場合（Ｓ１０１のＹｅｓ）は、主制御部２０は、アドレス帳記憶部２６ａに既に記憶されているメールアドレス情報３０ｃに対して、末尾に例えば「＿ｏｌｄ」を付加したものを、メールアドレス情報３０ｃとして記憶する（Ｓ１０３）。そして主制御部２０は、ステップＳ１０３にて「＿ｏｌｄ」が付加されたメールアドレスを、アドレス帳記憶部２６ａに記憶する（Ｓ１０５）。
【００２６】
なお、ステップＳ１０３において、既に記憶されているメールアドレス情報３０ｃが複数ある場合においては、その中で、古いアドレスを示す識別子を付加するためのメールアドレスを選択させるため、既に記憶されているメールアドレスのうち、「＿ｏｌｄ」を付加するアドレスを選択する画面を表示して選択操作を受け付けてから、「＿ｏｌｄ」を付加するようにしても良い。
【００２７】
例えばステップＳ１０１にて、ユーザが「東芝二郎」の新しいメールアドレスである「ｊｉｒｏ＿ｎｅｗ＠ａｂｃ．ｊｐ」を入力した場合には、図６に示すように、アドレス帳記憶部２６ａにおいて、「東芝二郎」の名前情報３０ａに対応付けられているメールアドレス情報３０ｃである「ｊｉｒｏ＠ａｂｃ．ｊｐ」に対して、末尾に「＿ｏｌｄ」を付加した「ｊｉｒｏ＠ａｂｃ．ｊｐ＿ｏｌｄ」をメールアドレス情報３０ｃとして、「東芝二郎」の名前情報３０ａに対応付けてアドレス帳記憶部２６ａに記憶する。
【００２８】
主制御部２０は、ステップＳ１０１にて入力されたメールアドレスをメールアドレス情報３０ｃとして、名前情報３０ａに対応付けて、アドレス帳記憶部２６ａに記憶する（Ｓ１０７）。
【００２９】
例えばステップＳ１０１にて、ユーザが「東芝二郎」の新しいメールアドレスである「ｊｉｒｏ＿ｎｅｗ＠ａｂｃ．ｊｐ」を入力した場合には、図６に示すように、アドレス帳記憶部２６ａにおいて、「東芝二郎」の名前情報３０ａに対応付けられているメールアドレス情報３０ｃとして、新しく入力された「ｊｉｒｏ＿ｎｅｗ＠ａｂｃ．ｊｐ」を、新しいメールアドレス情報３０ｃとして、「東芝二郎」の名前情報３０ａに対応付けてアドレス帳記憶部２６ａに記憶する。
【００３０】
このようにして携帯電話機１は、アドレス帳情報３１として記憶された電話番号やメールアドレスが書き換えられた際に、変更前の電話番号やメールアドレスに「＿оｌｄ」等の識別子を付加してアドレス帳記憶部２６ａに記憶しておく。
【００３１】
なお、変更前のメールアドレスに「＿ｏｌｄ」等の識別子を付加する方法は、図５の方法に限定されない。例えば、上記例でいえば、東芝二郎の名前情報３０ａを表示している段階で、メニューを開き、「旧アドレスに設定する」という項目が選択されると、図５のステップＳ１０３における、「主制御部２０が、アドレス帳記憶部２６ａに既に記憶されているメールアドレス情報３０ｃに対して、末尾に例えば「＿ｏｌｄ」を付加したものを、メールアドレス情報３０ｃとして記憶する制御」を行っても良い。
【００３２】
携帯電話機１は、メール記憶部２６ｂに記憶されているメール情報に基づいてメールボックスを表示する際に、アドレス帳記憶部２６ａに記憶されているアドレス帳情報３０に基づいて、メール内容とともに送信元や送信先を示す情報をメールボックスに表示するメール表示制御処理を行う。携帯電話機１がこのメール表示制御処理を行う際の手順について、図７に示すフローチャートに基づいて説明する。
【００３３】
ユーザは、メールボックスを確認する際に、操作キー１５を介した入力によりメールボックスの表示を指示する。始めに主制御部２０は、ユーザによりメールボックスの表示が指示されたか否かを判断する（Ｓ２０１）。メールボックスの表示が指示されていない場合（Ｓ２０１のＮｏ）は、主制御部２０はメールボックスを表示せずに、そのまま待機する。
【００３４】
メールボックスの表示が指示された場合（Ｓ２０１のＹｅｓ）は、主制御部２０は、メール記憶部２６ｂからメール情報を取得する（Ｓ２０３）。また主制御部２０は、ステップＳ２０３にて取得してメール情報のメールアドレスに基づいて、アドレス帳記憶部２６ａを探索する（Ｓ２０５）。
【００３５】
主制御部２０は、アドレス帳記憶部２６ａに、メール情報に含まれるメールアドレスに一致するメールアドレスがあるか否かを判断する（Ｓ２０７）。この際、アドレス帳記憶部２６ａにおいてメールアドレスに「＿оｌｄ」が付加されている場合には、この「＿оｌｄ」を省いた上で、一致するか否かを判断する。アドレス帳記憶部２６ａに、一致するメールアドレスがなかった場合（Ｓ２０７のＮｏ）は、このメール情報に含まれるメールアドレスがアドレス帳情報３０として記憶されていないため、主制御部２０は、メールボックスにこのメールアドレスをそのまま表示する（Ｓ２０９）。
【００３６】
例えば図８に示すように、メール情報に「ａｂｃ＠ａｂｃ．ｊｐ」のメールアドレスが含まれている場合、このメールアドレスがアドレス帳記憶部２６ａに記憶されていないため、ステップＳ２０９にて、メールボックスに「ａｂｃ＠ａｂｃ．ｊｐ」のまま表示する。
【００３７】
アドレス帳記憶部２６ａに、メール情報に含まれるメールアドレスに一致するメールアドレスがあった場合（Ｓ２０７のＹｅｓ）は、主制御部２０は、この一致するメールアドレスに「＿оｌｄ」が付加されているか否かを判断する（Ｓ２１１）。すなわち、アドレス帳記憶部２６ａに記憶されている電話番号やメールアドレスにおいて、ステップＳ１０１乃至Ｓ１０７にて書き換えられたものであった場合には、末尾に「＿оｌｄ」が付加されている。
【００３８】
「＿оｌｄ」が付加されていなかった場合（Ｓ２１１のＮｏ）は、メール情報に含まれるメールアドレスがアドレス帳記憶部２６ａに記憶されていて、現在使用されているものであるため、主制御部２０は、メール情報に含まれるメールアドレスに基づいて、アドレス帳記憶部２６ａから名前情報３０ａを取得する（Ｓ２１３）。そして主制御部２０は、メールボックスの送信元や送信先として、ステップＳ２１３にて取得した名前を表示する（Ｓ２１５）。
【００３９】
例えば図８に示すように、メール情報に「ｓａｂｕｒｏ＠ａｂｃ．ｊｐ」のメールアドレスが含まれている場合、このメールアドレスがアドレス帳記憶部２６ａにおいて「東芝三郎」の名前情報３０ａに対応付けられているため、ステップＳ２１３にて、この名前情報３０ａが取得され、ステップＳ２１５にて、メールボックスに「東芝三郎」の名前が表示される。
【００４０】
「＿оｌｄ」が付加されていた場合（Ｓ２１１のＹｅｓ）は、メール情報に含まれるメールアドレスがアドレス帳記憶部２６ａに一旦記憶されていたが、既に書き換えられたものであるため、主制御部２０は、メール情報に含まれるメールアドレスに基づいて、アドレス帳記憶部２６ａから名前情報３０ａを取得する（Ｓ２１７）。そして主制御部２０は、メールボックスの送信元や送信先として、ステップＳ２１３にて取得した名前を、自体などを変えて表示する（Ｓ２１９）。
【００４１】
例えば図８に示すように、メール情報に「ｉｃｈｉｒｏ＠ａｂｃ．ｊｐ」のメールアドレスが含まれている場合、このメールアドレスに「＿оｌｄ」が付加されたものが、アドレス帳記憶部２６ａにおいて「東芝一郎」の名前情報３０ａに対応付けられているため、ステップＳ２１７にて、この名前情報３０ａが取得され、ステップＳ２１９にて、メールボックスに「東芝三郎」の名前が、例えば「旧」の字が付加されるとともに斜体で表示される。
【００４２】
このようにして携帯電話機１は、アドレス帳情報３０として記憶された電話番号やメールアドレスが書き換えられた際に、変更前の電話番号やメールアドレスに識別子を付加して記憶しておくことで、メールボックスに表示されるメールアドレスが使用できない古いメールアドレスであっても、メールボックスにおいてメールアドレスを名前に置き換えて表示することができる。また、このときの表示に関しては、色を変えるとか、先頭に記号を付けるなどして、古いアドレスであることをユーザが認識できるようにする。
【００４３】
例えば「東芝二郎」さんの古いメールアドレスが、アドレス帳情報３０から消去されていても、メールボックス上で「東芝二郎」さんの氏名を確認できる。また、このメールアドレスが古いメールアドレスであることがわかるように、氏名の前後に「旧」の文字や、記号、絵などを付加したり、表記の色や、自体を変えたりすることも可能である。
【００４４】
ユーザが知人等のメールアドレス変更により携帯電話機１のアドレス帳を修正する場合に、元のメールアドレスをそのままにして、単に新しいアドレスを追加することも考えられる。この方法でも、過去の送受信メールの履歴を表示するときに、古いメールアドレスに対応した氏名を表示することは可能である。しかし、この方法では、既に使用できなくなっている古いメールアドレスがアドレス帳に残っているので、ユーザがいざメールを送ろうとしたときに、どのアドレスが使用可能なのか判別できないという問題があった。本発明では、古いメールアドレスにフラグ（「＿оｌｄ」等）を設定することにより、ユーザに古いメールアドレスであることを判別させることができる。
【００４５】
なお、第１実施形態として、メールボックスを表示する際の手順について説明したが、これに限定されず、アドレス帳を表示する場合にも同様に、書き換えられた古い電話番号やメールアドレス（「＿оｌｄ」が付加された電話番号やメールアドレス）は、識別子が付加されたり自体が変えられたりして表示される。例えば図９に示すように、アドレス帳を表示する際、アドレス帳情報３０において「＿оｌｄ」が付加されている古いメールアドレスである「ｊｉｒｏ＠ａｂｃ．ｊｐ」には、例えば前後に「旧」の文字が付加されて表示される。
【００４６】
第１実施形態によると、アドレス帳において電話番号やメールアドレスが書き換えられた場合であっても、書き換え前の電話番号やメールアドレスを識別子を付加して記憶しておくことで、過去の送受信メールの送信元や送信先を判別することが可能となる。
【００４７】
〔第２実施形態〕
本発明に係る携帯電話機の第２実施形態について、図１０乃至図１４を参照しながら説明する。なお、第１実施形態と同一の構成には同一の符号を付し、重複する説明を省略する。第２実施形態の携帯電話機１Ａは、図１及び図２に示すように、第１実施形態の携帯電話機１と同一の構成を備えている。また第２実施形態の携帯電話機１Ａは、図３に示すように、第１実施形態の携帯電話機１と同様に、主制御部２０、電源回路部２１、操作入力制御部２２、表示制御部２３、音声制御部２４、通信制御部２５、及び記憶部２６Ａがバスによって相互に通信可能に接続されて構成されている。
【００４８】
記憶部２６Ａは、アドレス帳情報３１を記憶するためのアドレス帳記憶部２６ａを備えている。アドレス帳情報３１は、ユーザが携帯電話機１を用いて通話やメール送受信を行う際に使用される電話番号やメールアドレスを、名前に対応付けて記憶している情報であり、図１１（Ａ）に示すように、少なくとも、名前を示す名前情報３１ａ、電話番号を示す電話番号情報３１ｂ、メールアドレスを示すメールアドレス情報３１ｃがそれぞれ対応付けられた情報である。
【００４９】
例えば、図１１（Ａ）に示すアドレス帳情報３１では、「東芝一郎」の名前情報３１ａに対して、「０９０−１１１１−１１１１」の電話番号情報３１ｂ、「ｉｃｈｉｒｏ＠ａｂｃ．ｊｐ」のメールアドレス情報３１ｃがそれぞれ対応付けられているとともに、「東芝二郎」の名前情報３１ａに対して、「０９０−２２２２−２２２２」の電話番号情報３１ｂ、「ｊｉｒｏ＿ｎｅｗ＠ａｂｃ．ｊｐ」のメールアドレス情報３１ｃがそれぞれ対応付けられている。
【００５０】
また記憶部２６Ａは、携帯電話機１Ａにて送受信されたメール情報を記憶するためのメール記憶部２６ｂを備えている。メール情報は、送信されたメールに関して、送信日時、送信先、メール内容、添付ファイル等の情報がそれぞれ対応付けられているとともに、受信されたメールに関して、受信日時、送信元、メール内容、添付ファイル等の情報がそれぞれ対応付けられた情報である。
【００５１】
さらに記憶部２６Ａは変更アドレス帳情報３２を記憶するための変更アドレス帳記憶部２６ｃを備えている。変更アドレス帳情報３２は、アドレス帳情報３１において変更された電話番号やメールアドレスについて、変更前のものを名前に対応付けて記憶している情報であり、図１１（Ｂ）に示すように、少なくとも、名前を示す名前情報３２ａ、電話番号を示す電話番号情報３２ｂ、メールアドレスを示すメールアドレス情報３２ｃがそれぞれ対応付けられた情報である。
【００５２】
例えば、図１１（Ｂ）に示す変更アドレス帳情報３２では、「東芝二郎」の名前情報３２ａに対して、「ｊｉｒｏ＠ａｂｃ．ｊｐ」のメールアドレス情報３２ｃが対応付けられている。これは、アドレス帳情報３２に記憶されていた「東芝二郎」のメールアドレス「ｊｉｒｏ＠ａｂｃ．ｊｐ」が既に新しいものに変更されていることを示す。
【００５３】
ユーザは、アドレス帳情報３１として記憶されている電話番号やメールアドレスに変更があった場合に、操作キー１５を介して新しい情報を入力し、これらの情報を更新する。携帯電話機１Ａは、ユーザにより新しい電話番号やメールアドレスが入力された場合、入力された情報をアドレス帳記憶部２６ａに記憶するアドレス帳更新処理を行う。携帯電話機１Ａがアドレス帳更新処理を行う際の手順について、図１２に示すフローチャートに基づいて説明する。
【００５４】
ユーザは、携帯電話機１Ａを用いてアドレス帳情報３１として記憶されている電話番号やメールアドレスを変更する際に、まず操作キー１５を介した入力によりこれらの新しい電話番号やメールアドレスを入力する。以下、例えばユーザにより新しいメールアドレスが入力されたものとして説明する。始めに主制御部２０は、ユーザにより新しいメールアドレスが入力されたか否かを判断する（Ｓ３０１）。新しいメールアドレスが入力されていない場合（Ｓ３０１のＮｏ）は、主制御部２０はアドレス帳更新処理を行わずに、そのまま待機する。
【００５５】
新しいメールアドレスが入力された場合（Ｓ３０１のＹｅｓ）は、主制御部２０は、アドレス帳記憶部２６ａに既に記憶されている変更前のメールアドレス情報３１ｃを、これに対応付けられている名前情報３１ａと対応付けて、変更メールアドレス情報３２として変更アドレス帳記憶部２６ｃに記憶する（Ｓ３０３）。そして主制御部２０は、ステップＳ３０１にて入力されたメールアドレスをメールアドレス情報３１ａとして、名前情報３１ａと対応付けて、アドレス帳記憶部２６ａに記憶する（Ｓ３０５）。
【００５６】
例えばステップＳ３０１にて、ユーザが「東芝三郎」に対して、新しいメールアドレス「ｓａｂｕｒｏ＿ｎｅｗ＠ａｂｃ．ｊｐ」を入力した場合には、図１３（Ａ）に示すように、アドレス帳情報３１において、新しく入力されたメールアドレスである「ｓａｂｕｒｏ＿ｎｅｗ＠ａｂｃ．ｊｐ」がメールアドレス情報３１ｃとして、「東芝三郎」の名前情報３１ａに対応付けられている。また、図１３（Ｂ）に示すように、変更アドレス帳情報３２において、変更前のメールアドレスである「ｓａｂｕｒｏ＠ａｂｃ．ｊｐ」がメールアドレス情報３１ｃとして、「東芝三郎」の名前情報３２ａに対応付けられている。
【００５７】
このようにして携帯電話機１Ａは、アドレス帳情報３１として記憶された電話番号やメールアドレスが書き換えられた際に、変更前の電話番号やメールアドレスを名前と対応付けて専用のデータベースである変更アドレス帳記憶部２６ｃに記憶しておく。
【００５８】
携帯電話機１Ａは、メール記憶部２６ｂに記憶されているメール情報に基づいてメールボックスを表示する際に、アドレス帳記憶部２６ａに記憶されているアドレス帳情報３１や変更アドレス帳情報３２に基づいて、メール内容とともに送信元や送信先を示す情報をメールボックスに表示するメール表示制御処理を行う。携帯電話機１Ａがこのメール表示制御処理を行う際の手順について、図１４に示すフローチャートに基づいて説明する。
【００５９】
ユーザは、メールボックスを確認する際に、操作キー１５を介した入力によりメールボックスの表示を指示する。始めに主制御部２０は、ユーザによりメールボックスの表示が指示されたか否かを判断する（Ｓ４０１）。メールボックスの表示が指示されていない場合（Ｓ４０１のＮｏ）は、主制御部２０はメールボックスを表示せずに、そのまま待機する。
【００６０】
メールボックスの表示が指示された場合（Ｓ４０１のＹｅｓ）は、主制御部２０は、メール記憶部２６ｂからメール情報を取得する（Ｓ４０３）。また主制御部２０は、ステップＳ４０３にて取得してメール情報のメールアドレスに基づいて、アドレス帳記憶部２６ａを探索する（Ｓ４０５）。
【００６１】
主制御部２０は、アドレス帳記憶部２６ａにメール情報に含まれるメールアドレスに一致するメールアドレスがあるか否かを判断する（Ｓ４０７）。アドレス帳記憶部２６ａに、一致するメールアドレスがあった場合（Ｓ４０７のＹｅｓ）は、メール情報に含まれるメールアドレスがアドレス帳記憶部２６ａに記憶されていて、現在使用されているものであるため、主制御部２０は、メール情報に含まれるメールアドレスに基づいて、アドレス帳記憶部２６ａから名前情報３１ａを取得する（Ｓ４０９）。そして主制御部２０は、メールボックスの送信元や送信先として、ステップＳ４０９にて取得した名前を表示する（Ｓ４１１）。
【００６２】
例えば図８に示すように、メール情報に「ｉｃｈｉｒｏ＠ａｂｃ．ｊｐ」のメールアドレスが含まれている場合、このメールアドレスがアドレス帳記憶部２６ａにおいて「東芝一郎」の名前情報３１ａに対応付けられているため、ステップＳ４０９にて、この名前情報３０ａが取得され、ステップＳ４１１にて、メールボックスに「東芝一郎」の名前が表示される。
【００６３】
アドレス帳記憶部２６ａに、一致するメールアドレスがなかった場合（Ｓ４０７のＮｏ）は、メール情報に含まれるメールアドレスがアドレス帳記憶部２６ａに一旦記憶されていたが、既に書き換えられたものである可能性があるため、主制御部２０は、メール情報に含まれるメールアドレスに基づいて、変更メールアドレス記憶部２６ｃを探索する（Ｓ４１３）。
【００６４】
主制御部２０は、変更アドレス帳記憶部２６ｃにメール情報に含まれるメールアドレスに一致するメールアドレスがあるか否かを判断する（Ｓ４１５）。変更アドレス帳記憶部２６ｃに、メール情報に含まれるメールアドレスに一致するメールアドレスがあった場合（Ｓ４１５のＹｅｓ）は、主制御部２０は、変更アドレス帳記憶部２６ｃから、メール情報に含まれるメールアドレスに対応付けられている名前情報３２ａを取得する（Ｓ４１７）。そして主制御部２０は、メールボックスの送信元や送信先として、ステップＳ４１７にて取得した名前を、自体などを変えて表示する（Ｓ４１９）。
【００６５】
例えば図８に示すように、メール情報に「ｊｉｒｏ＠ａｂｃ．ｊｐ」のメールアドレスが含まれている場合、このメールアドレスが変更アドレス帳記憶部２６ｃにおいて「東芝二郎」の名前情報３２ａに対応付けられているため、ステップＳ４１７にて、この名前情報３２ａが取得され、ステップＳ４１９にて、メールボックスに「東芝二郎」の名前が、例えば「旧」の字が付加されるとともに斜体で表示される。
【００６６】
変更アドレス帳記憶部２６ｃに、メール情報に含まれるメールアドレスに一致するメールアドレスがなかった場合（Ｓ４１５のＮｏ）は、このメール情報に含まれるメールアドレスがアドレス帳情報３１または変更アドレス情報３２として記憶されていないため、主制御部２０は、メールボックスにこのメールアドレスをそのまま表示する（Ｓ４２１）。
【００６７】
例えば図８に示すように、メール情報に「ａｂｃ＠ａｂｃ．ｊｐ」のメールアドレスが含まれている場合、このメールアドレスがアドレス帳記憶部２６ａに記憶されていないため、ステップＳ４２１にて、メールボックスに「ａｂｃ＠ａｂｃ．ｊｐ」のまま表示する。
【００６８】
このようにして携帯電話機１Ａは、アドレス帳情報３１として記憶された電話番号やメールアドレスが書き換えられた際に、変更前の電話番号やメールアドレスを名前と対応付けて専用のデータベースである変更アドレス帳記憶部２６ｃに記憶しておくことで、メールボックスに表示されるメールアドレスがアドレス帳情報３１から削除された場合であっても、メールボックスにおいてメールアドレスを名前に置き換えて表示することができる。また、このときの表示に関しては、色を変えるとか、先頭に記号を付けるなどして、古いアドレスであることをユーザが認識できるようにする。
【００６９】
なお、第２実施形態として、メールボックスを表示する際の手順について説明したが、これに限定されず、アドレス帳を表示する場合にも同様に、書き換えられた古い電話番号やメールアドレス（変更アドレス帳情報３２に記憶されている電話番号やメールアドレス）は、識別子が付加されたり自体が変えられたりして表示される。例えば図９に示すように、アドレス帳を表示する際、変更アドレス帳情報３２に記憶されている古いメールアドレスである「ｊｉｒｏ＠ａｂｃ．ｊｐ」には、例えば前後に「旧」の文字が付加されて表示される。
【００７０】
第２実施形態よると、アドレス帳において電話番号やメールアドレスが書き換えられた場合であっても、書き換え前の電話番号やメールアドレスを専用のデータベースに記憶しておくことで、過去の送受信メールの送信元や送信先を判別することが可能となる。
【００７１】
総じて、第１実施形態のような「＿ｏｌｄ」の識別子を付加する方法では、新たなデータベース５５５を用意する必要がなく、従来のアドレス帳の体系で使用できるため、アドレス帳を他の携帯電話機やパソコンなどへ転送した場合も、旧メールアドレスも同様に転送でき、メールアドレスを確認することにより、旧アドレスであることが判るため、本発明の機能を持たない携帯電話やパソコンとの互換性も高い。
【００７２】
本発明の説明として、携帯電話機１、１Ａについて説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の任意の通信端末であっても良い。
【図面の簡単な説明】
【００７３】
【図１】（Ａ）は、本発明に係る携帯電話機の開いた状態を示す正面図、（Ｂ）は、本発明に係る携帯電話機の開いた状態を示す側面図。
【図２】（Ａ）は、本発明に係る携帯電話機の閉じた状態を示す正面図、（Ｂ）は、本発明に係る携帯電話機の閉じた状態を示す側面図。
【図３】第１実施形態の携帯電話機の機能ブロック図。
【図４】第１実施形態のアドレス帳情報を示すデータ構成図。
【図５】第１実施形態の携帯電話機においてアドレス帳更新処理を行う際の手順を示すフローチャート。
【図６】第１実施形態のアドレス帳情報を示すデータ構成図。
【図７】第１実施形態の携帯電話機においてアドレス帳管理処理を行う際の手順を示すフローチャート。
【図８】第１実施形態の携帯電話機におけるメールボックスの表示画面を示す画面図。
【図９】第１実施形態の携帯電話機におけるアドレス帳の表示画面を示す画面図。
【図１０】第２実施形態の携帯電話機の機能ブロック図。
【図１１】（Ａ）は、第２実施形態のアドレス帳情報を示すデータ構成図、（Ｂ）は、第２実施形態の変更アドレス帳情報を示すデータ構成図。
【図１２】第２実施形態の携帯電話機においてアドレス帳更新処理を行う際の手順を示すフローチャート。
【図１３】（Ａ）は、第２実施形態のアドレス帳情報を示すデータ構成図、（Ｂ）は、第２実施形態の変更アドレス帳情報を示すデータ構成図。
【図１４】第２実施形態の携帯電話機においてアドレス帳管理処理を行う際の手順を示すフローチャート。
【符号の説明】
【００７４】
１、１Ａ…携帯電話機，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２６、２６Ａ…記憶部，２６ａ…アドレス帳記憶部，２６ｂ…メール記憶部，２６ｃ…変更アドレス帳記憶部，３０、３１…アドレス帳情報，３２…変更アドレス帳情報，４０…メールボックス表示画面，４１…アドレス帳表示画面。
【図１】
0005120011.tif 000002
【図２】
0005120011.tif 000003
【図３】
0005120011.tif 000004
【図４】
0005120011.tif 000005
【図５】
0005120011.tif 000006
【図６】
0005120011.tif 000007
【図７】
0005120011.tif 000008
【図８】
0005120011.tif 000009
【図９】
0005120011.tif 000010
【図１０】
0005120011.tif 000011
【図１１】
0005120011.tif 000012
【図１２】
0005120011.tif 000013
【図１３】
0005120011.tif 000014
【図１４】
0005120011.tif 000015